(57)【特許請求の範囲】
【請求項１】
袋内に粒子状の充填材が封入されてなる変形可能な袋体と、携帯情報端末と密着可能に前記袋体に設けられた密着部材とを備え、
前記携帯情報端末が、タッチパネルを有する携帯電話またはタブレット型端末であり、
携帯情報端末のタッチパネルの反対側の裏面の中央付近を前記密着部材に直に密着させた状態の前記袋体にて携帯情報端末を全方位に様々な傾斜角度で支持可能に構成されたことを特徴とする携帯情報端末用支持具。
【請求項２】
前記密着部材が、前記袋体の外面に取り付けられた吸盤部材からなる請求項１に記載の携帯情報端末用支持具。
【請求項３】
前記密着部材が、前記袋体の外面に貼り付けられた滑り止めシート材からなる請求項１に記載の携帯情報端末用支持具。
【請求項４】
前記携帯情報端末が、タッチパネル方式の携帯電話であり、
前記袋体が、１５〜１８０ｃｍ3の体積を有する請求項２に記載の携帯情報端末用支持
具。
【請求項５】
前記携帯情報端末が、タッチパネル方式のタブレット型端末であり、
前記袋体が、１８０〜４２００ｃｍ3の体積を有する請求項３に記載の携帯情報端末用支持具。
【請求項６】
前記袋体が、前記密着部材の位置と反対側の位置にクリーニングシート材を有する請求項１〜５いずれか１つに記載の携帯情報端末用支持具。
【請求項７】
前記袋体が、前記密着部材の位置と反対側の位置に滑り止め部材を有する請求項１〜６いずれか１つに記載の携帯情報端末用支持具。
【請求項８】
前記袋体が、前記タブレット型端末の４つのコーナー部に引っ掛ける４つの輪部を有する請求項５に記載の携帯情報端末用支持具。
【請求項９】
前記袋における少なくとも前記密着部材側が伸縮性の生地からなる請求項１〜８のいずれか１つに記載の携帯情報端末用支持具。
【発明の詳細な説明】
【技術分野】
【０００１】
本発明は、携帯情報端末用支持具に関する。
【背景技術】
【０００２】
所謂「スマートフォン」や「タブレット型端末」と呼ばれるタッチパネル方式の携帯情報端末を用いることにより、インターネットを介して検索した静止画や動画を視聴することができる。卓上に携帯情報端末を平置きして覗き込むように画像を視ると、室内の天井にある照明の光が画面を反射して視にくくなるといった不具合や、覗き込んだ姿勢を長時間続けると疲れるといった不具合が生じる。そのため、携帯情報端末の裏面に取り付けて携帯情報端末を卓上で立てかけることができるスタンドが用いられことが多い。
【０００３】
従来のスマートフォン用のスタンドとして、例えば、特許文献１には、漫画キャラクター、人形、乗物、建物、道具、野菜、果物、若しくは動物の形をしたスタンド本体と、スタンド本体に設けられた吸盤とを備えたものが提案されている。このスタンドは、吸盤をスマートフォンの裏面に吸着させることによりスタンド本体をスマートフォンに固定し、スタンド本体にてスマートフォンを垂直に近い傾斜角度（水平に対して６０〜８０°程度）で支持するように構成されている。
【０００４】
また、特許文献１には、吸盤に代えて、柔らかいゲル状樹脂板を用いてもよい旨記載されている。この場合、柔らかいゲル状樹脂板とスマートフォンの裏面との大きな摩擦力によってスマートフォンの支持が可能である。
なお、特許文献１には、前記スタンド本体の材料、内部構造等についての記載はないが、スタンド本体は少なくともスマートフォンに押し潰されずに支持できるだけの剛性あるいは耐圧縮強度を有していると推測される。
【０００５】
また、従来のタブレット型端末用のスタンドとして、例えば、特許文献２には、タブレット型端末の不使用時には保護カバーの役割を担うものが提案されている。このスタンドは、相互に連結されて開閉可能な第１および第２プロテクトボードを備え、第１プロテクトボードは横方向の１本の溝状の曲折部を有し、第２プロテクトボードは横方向の複数の位置決め溝を有している。
【０００６】
特許文献２のスタンドを用いてタブレット型端末を立てかける場合、第１プロテクトボードの曲折部を折り曲げてタブレット型端末を傾け、タブレット型端末の下端を第２プロテクトボードの任意の位置決め溝に嵌め込むことにより、タブレット型端末が所定の傾斜角度で支持される。このとき、位置決め溝の選択によってタブレット型端末の傾斜角度を段階的に調整することができる。
【０００７】
また、従来のタブレット型端末用のスタンドとして、例えば、特許文献３では、タブレット型端末を収納する枠型ポケットを有するクッション体が提案されている。このクッション体の内部には粒子状の充填材が充填されており、充填材が流動することによりクッション体が自由に変形するため、タブレット型端末の傾斜角度を無段階で調整することができる。
【０００８】
なお、タブレット型端末は、複数のメーカーから様々な画面サイズ（例えば、5.0インチ、5.5インチ、7.0インチ、7.7インチ、7.9インチ、8.9インチ、9.4インチ、9.7インチ、10.0インチ、10.1インチ等）を有するものが販売されており、しかも画面サイズが同じであってもメーカー毎に外形サイズが異なっている。そのため、特許文献３のクッション体における枠型ポケットは、特定のタブレット型端末の外形サイズに対応して形成されている。
【先行技術文献】
【特許文献】
【０００９】
【特許文献１】実用新案登録第３１７６５２２号
【特許文献２】実用新案登録第３１６４６４８号
【特許文献３】オーストラリアンデザインナンバー２０１２１１６４３
【発明の概要】
【発明が解決しようとする課題】
【００１０】
スマートフォンの画像を視る場合、スマートフォンの画面は小さいため、例えば、オフィスのデスクやダイニングのテーブルといった卓上にスマートフォンを立てかけ、顔を画面に近づけて画像を視ることが多い。このとき、特許文献１の吸盤を有するスタンドを用いてスマートフォンを立てかけると、スマートフォンの傾斜角度は前記のように垂直に近い角度（６０〜８０°程度）となる。そのため、スマートフォンを使用者側へ近づけると、画面を斜め上から視ることになって視にくくなるが、特許文献１の吸盤を有するスタンドではスマートフォンの傾斜角度を調整することができない。したがって、使用者は視線を低くした姿勢でスマートフォンの画面を正面から視ることになり、背筋を伸ばした楽な姿勢で視ることが困難であった。なお、特許文献１の柔らかいゲル状樹脂板を有するスタンドを用いた場合、携帯情報端末の傾斜角度を小さくしようとすると、携帯情報端末の下端が卓上を滑り出し、スタンドが携帯情報端末と共に転倒してしまうことが予想される。
【００１１】
また、タブレット型端末の画像を視る場合、タブレット型端末の画面は比較的大きいため、例えば、ソファーで腰掛けながらリビングの低いテーブル上にタブレット型端末を立てかけて視ることがある。このとき、特許文献２のスタンドを用いると、タブレット型端末の傾斜角度を使用者の好みの角度に微調整することができない。そのため、ソファーにおける使用者の姿勢、例えば、前屈みの姿勢、深く座った姿勢、寝そべった姿勢等に応じた視やすい角度にタブレット型端末の傾斜角度を微調整することできない。
【００１２】
一方、特許文献３のクッション体を用いると、タブレット型端末を視やすい傾斜角度に微調整することはできる。しかしながら、このクッション体の枠型ポケットのサイズは、特定のタブレット型端末の外形サイズに適合しているため、例えば、枠型ポケットのサイズよりも大きい別のタブレット型端末は収納することができず、枠型ポケットのサイズよりも小さい別のタブレット型端末では枠型ポケットの開口部から外へ脱落するおそれがある。そのため、ユーザーが異なる外形サイズのタブレット型端末を複数所有している場合は、タブレット型端末の外形サイズ毎にクッション体を買い揃えなければならず不経済であった。
【００１３】
本発明はこのような課題に鑑みてなされたものであり、様々な外形サイズの携帯情報端末に対応でき、かつ携帯情報端末を置くだけで傾斜角度を自由かつ容易に調整することができる携帯情報端末用支持具を提供することを目的とする。
【課題を解決するための手段】
【００１４】
かくして、本発明によれば、袋内に粒子状の充填材が封入されてなる変形可能な袋体と、携帯情報端末と密着可能に前記袋体に設けられた密着部材とを備え、
前記携帯情報端末が、タッチパネルを有する携帯電話またはタブレット型端末であり、
携帯情報端末のタッチパネルの反対側の裏面の中央付近を前記密着部材に直に密着させた状態の前記袋体にて携帯情報端末を全方位に様々な傾斜角度で支持可能に構成された携帯情報端末用支持具が提供される。
【発明の効果】
【００１５】
本発明の携帯情報端末用支持具によれば、内部に粒子状の充填材が封入された袋体はクッションのように自由に変形できる。このとき、粒子状の充填材が封入された袋体は、どのような立体形状であっても自由に変形できる。そのため、携帯情報端末を密着部材に直に密着させた状態で、袋体にて携帯情報端末を全方位に様々な傾斜角度で支持することができる。
すなわち、本発明の支持具によれば、支持具の上に様々な外形サイズの携帯情報端末を置くだけで、携帯情報端末の傾斜角度を自由かつ容易に無段階で調整することができ、しかも支持具の周囲の全周に亘って自由に傾斜させることができる。
また、本発明の支持具は携帯情報端末を安定して支持することができるため、支持具上に携帯情報端末を置いたままタッチパネル操作をすることが可能である。
また、この支持具は簡素な構成であるため、低コストにて製造できるメリットもある。一方、この支持具１つで様々な外形サイズのタブレット型端末に対応できるので、ユーザーにとっては経済的である。
【図面の簡単な説明】
【００１６】
【図１】本発明の携帯情報端末用支持具の実施形態１を示し、（Ａ）は平面図であり、（Ｂ）は正面図であり、（Ｃ）は底面図である。
【図２】実施形態１の支持具をスマートフォンの裏面に貼り付けた状態を示す説明図である。
【図３】実施形態１の支持具を用いてスマートフォンをオフィスのデスク上に立てかけた状態を示す説明図である。
【図４】実施形態１の支持具の使用状態を説明する図であって、（Ａ）はスマートフォンを縦置きした状態であり、（Ｂ）はスマートフォンを横置きした状態である。
【図５】実施形態１の支持具がスマートフォンを全方位に傾けて支持できることを説明する図である。
【図６】実施形態１の支持具を介してスマートフォンを左手で持った状態を示す説明図である。
【図７】実施形態２の支持具の正面図である。
【図８】実施形態３の支持具の正面図である。
【図９】実施形態４の支持具の正面図である。
【図１０】実施形態５の支持具を示し、（Ａ）は平面図であり、（Ｂ）は正面図であり、（Ｃ）は底面図である。
【図１１】実施形態５の支持具を用いてタブレット型端末をリビングのテーブル上に立てかけた状態を示す説明図である。
【図１２】実施形態６の支持具を示す図であって、（Ａ）はスマートフォン用であり、（Ｂ）はタブレット型端末用である。
【図１３】実施形態７の支持具を示す図であって、（Ａ）はスマートフォン用であり、（Ｂ）はタブレット型端末用である。
【図１４】実施形態８の支持具を示す図であって、（Ａ）はスマートフォン用であり、（Ｂ）はタブレット型端末用である。
【図１５】実施形態９の支持具を示す図であって、（Ａ）はスマートフォン用であり、（Ｂ）はタブレット型端末用である。
【図１６】実施形態１０の支持具を示す図であって、（Ａ）はスマートフォン用であり、（Ｂ）はタブレット型端末用である。
【図１７】実施形態１１の支持具を示す図であって、（Ａ）はスマートフォン用であり、（Ｂ）はタブレット型端末用である。
【図１８】実施形態１２の支持具を示す図であって、（Ａ）は平面図であり、（Ｂ）は正面図であり、（Ｃ）は底面図である。
【図１９】実施形態１２の支持具を示す図であって、（Ａ）は袋体を四方へ引っ張って拡張した状態を示し、（Ｂ）はタブレット端末を卓上で垂直に支持した状態を示す。
【発明を実施するための形態】
【００１７】
本発明の携帯情報端末用支持具は、袋内に粒子状の充填材が封入されてなる変形可能な袋体と、携帯情報端末と密着可能に前記袋体に設けられた密着部材とを備え、携帯情報端末を前記密着部材に直に密着させた状態の前記袋体にて携帯情報端末を全方位に様々な傾斜角度で支持可能に構成されている。
【００１８】
本発明において、袋体の袋としては、特に限定されず、例えば、織物または編み物の生地からなる袋、プラスチックシートからなる袋、網袋等を用いることができる。
また、充填材としては、例えば、発泡樹脂粒子、ガラスビーズ、プラスチックビーズ、そば殻、木製ペレット、小石、砂等の粒子状の充填材が用いられる。
【００１９】
これらの中でも、織物または編み物の生地からなる袋内に粒子状の充填材を充填してなる袋体は、変形のしやすさ、変形させた状態の維持しやすさ、および良好な感触が得られる点で好ましい。特に、伸縮性を有する生地からなる袋内に発泡樹脂粒子（例えば、発泡ポリスチレン系樹脂粒子）を充填してなる袋体は顕著であり、袋体の立体形状デザインの自由度を拡大させることができる。
【００２０】
本発明において、密着部材は、携帯情報端末を支持具にて支持した状態のときに、袋体が携帯情報端末の金属またはプラスチックからなる裏面に位置ずれしないように密着させるものである。
密着部材としては、例えば、吸盤部材または滑り止めシート材を用いることができる。滑り止めシート材の材質としては、滑り止め性に優れたエラストマー（各種のゴム）や発泡樹脂等が適しており、例えば、シリコーンゴムや発泡塩化ビニール樹脂が好適である。
【００２１】
密着部材として吸盤部材を用いれば、袋体を携帯情報端末の裏面に着脱可能に固定することができると共に、支持具を常時取り付けた状態で携帯情報端末を使用することもできる。携帯情報端末がタッチパネル方式の多機能携帯電話（以下、「スマートフォン」という）の場合、吸盤部材を有する支持具の使用が適している。
【００２２】
密着部材として滑り止めシート材を用いれば、滑り止めシート材と携帯情報端末の裏面との摩擦力によって、携帯情報端末がずれることなく袋体に寄りかかることができる。携帯情報端末がタッチパネル方式のタブレット型端末の場合、滑り止めシート材を有する支持具の使用が適している。
【００２３】
また、本発明の支持具において、前記袋体が、前記密着部材の位置と反対側の位置にクリーニングシート材および／または滑り止め部材を有してもよい。
また、前記袋体が、前記タブレット端末の４つのコーナー部に引っ掛ける４つの輪部を有してもよい。袋体の４つの輪部をタブレット型端末の４つのコーナー部に引っ掛けることにより、支持具によってタブレット型端末を裏面側から保持した状態となるため、支持具にてタブレット型端末を卓上で垂直状態まで支持することが可能となる。
【００２４】
以下、図面を参照しながら本発明の携帯情報端末用支持具の実施形態を詳説する。
【００２５】
（実施形態１）
図１は本発明の携帯情報端末用支持具の実施形態１であって、（Ａ）は平面図であり、（Ｂ）は正面図であり、（Ｃ）は底面図である。
実施形態１では、スマートフォン用の支持具１００Ａを例示している。この支持具１００Ａは、ハート形の袋内に粒子状の充填材が封入されてなる変形可能な袋体２００Ａと、袋体２００Ａに設けられた密着部材としての吸盤部材３とを備える。袋体２００Ａの表面（図１（Ａ））または裏面（図１（Ｃ））から視た形はハート形であり、側面（図１（Ｂ））から視た形状は楕円形、長円形等を含む略円形である。すなわち、袋体２００Ａの形状は膨張したハート形である。
【００２６】
袋体２００Ａは、１５〜１８０ｃｍ3程度の体積を有するサイズが適当である。
袋体２００Ａを構成する袋は、例えば、２枚のハート形の生地を縫い合わせて形成されている。なお、図１（Ｂ）において、符号２００ａは縫い目を表している。
【００２７】
袋体２００Ａにおける袋の生地は、粒子状の充填材が通らない織り目または編み目を有していれば特に限定されないが、伸縮性を有していることが袋体２００Ａの変形性を高められる上で好ましい。伸縮性を有する生地としては、例えば、ストレッチ試験で３０〜３００％の伸縮性を有する生地を用いることができ、具体的には、弾性を有するスパンデックス（ポリウレタン弾性糸）が挙げられる。なお、袋の一部が、伸縮性を有する生地にて構成されていてもよい。
【００２８】
袋体２００Ａにおける粒子状の充填材としては、袋の生地の織り目または編み目を通らない大きさのものであれば特に限定されず、例えば、発泡樹脂粒子、ガラスビーズ、プラスチックビーズ、そば殻、木製ペレット、小石、砂等が挙げられる。これらの中でも、発泡樹脂粒子は、袋体２００Ａを軽量化でき、袋体２００Ａの反発力を抑えることができ、袋体２００Ａの変形性および感触が良好となり、しかも、比較的低コストで得られるため好ましい。発泡樹脂粒子として、具体的には、平均粒子径０．３〜３．０ｍｍ程度の発泡ポリスチレン系樹脂粒子が好ましい。
【００２９】
なお、２枚の生地の縫い合わせて袋を作製する際、後から充填材を充填するために縫い合わせない箇所を１箇所残して充填口を形成し、その充填口にノズルを差し込んで袋内に充填材を充填した後、充填口を縫合すればよい。また、袋に短筒状の充填口を形成してもよく、このようにすれば充填後の充填口の縫合が容易となる。この場合、袋に突起部分が残るため、突起部分は袋体２００Ａ内へ押し込めばよい。
【００３０】
吸盤部材３としては、例えば、直径２〜６ｃｍ程度の吸盤部分を有する市販品を用いることができる。吸盤部材３は、吸盤部分の凸曲面の中心位置に突起部を有しており、この突起部が袋体２００Ａに埋め込まれるように縫い付けられている。このとき、袋体２００Ａを構成する２枚の円形生地のうちの一方の生地の中央位置に吸盤部材３の突起部が縫い付けられる。なお、吸盤部材３は、袋作製前の一方の生地に縫い付けておけばよい。
【００３１】
図２は実施形態１の支持具１００ＡをスマートフォンＰの裏面Ｐｂに貼り付けた状態を示す説明図であり、図３は実施形態１の支持具１００Ａを用いてスマートフォンＰをオフィスのデスクＤ上に立てかけた状態を示す説明図である。また、図４は実施形態１の支持具１００Ａの使用状態を説明する図であって、（Ａ）はスマートフォンＰを縦置きした状態であり、（Ｂ）はスマートフォンＰを横置きした状態である。
【００３２】
実施形態１の支持具１００Ａを用いてスマートフォンＰをデスクＤ上に立てかける際、図２に示すように、まず、吸盤部材３をスマートフォンＰの平坦な裏面Ｐｂに吸着（密着）させる。そして、図３に示すように、スマートフォンＰを支持具１００Ａに凭れかけさせるようにしてデスクＤ上に置く。
【００３３】
このとき、スマートフォンＰの向きと傾斜角度を考慮した位置に吸盤部材３を吸着させる。例えば、スマートフォンＰを縦置きする場合は、図４（Ａ）に示すように、スマートフォンＰの裏面Ｐｂの下端位置に吸盤部材３を吸着させることにより、傾斜角度αを比較的大きくした状態で袋体２００Ａにて容易にスマートフォンＰを支持することができる。また、図４（Ａ）において、二点鎖線で示すように、スマートフォンＰを袋体２００Ａに押し付けることにより袋体２００Ａが変形するため、傾斜角度αを小さく調整することも容易に行える。なお、図４（Ａ）の実線で示すスマートフォンＰの傾斜角度αよりも大きく調整することも可能である。
【００３４】
また、スマートフォンＰを横置きする場合は、図４（Ｂ）に示すように、スマートフォンＰの裏面Ｐｂの中央位置に吸盤部材３を吸着させることにより、傾斜角度αを比較的大きくした状態で袋体２００Ａにて容易にスマートフォンＰを支持することができる。また、図４（Ｂ）において、二点鎖線で示すように、スマートフォンＰを袋体２００Ａに押し付けることにより、傾斜角度αを小さく調整することも容易に行える。なお、図４（Ｂ）の実線で示すスマートフォンＰの傾斜角度αよりも大きく調整することも可能である。
【００３５】
このように、実施形態１の支持具１００Ａによれば、スマートフォンＰを縦置きまたは横置きに支持できるだけでなく、支持具１００Ａが付いたスマートフォンＰを卓上に置くだけで、スマートフォンＰの画面（表て面Ｐａ）が視やすくなる傾斜角度αに無段階で微調整することができる。さらに言えば、図５に示すように、実施形態１の支持具１００ＡはスマートフォンＰを全方位に傾けて支持することができる。
【００３６】
さらに詳しく説明すると、実施形態１の支持具１００Ａによれば、内部に粒子状の充填材が封入された袋体２００Ａはクッションのように自由に変形できるため、図４（Ａ）および（Ｂ）に示すように、支持具１００ＡにてスマートフォンＰを机などの卓上に支持する際、スマートフォンＰの自重によって袋体２００ＡにおけるスマートフォンＰとの接触箇所に受け面が形成されると共に、袋体２００Ａにおける卓上面との接触箇所に底面（支持面）が形成される。この結果、図５に示すように、スマートフォンＰの裏面に吸盤部材３を吸着させた状態で、袋体２００ＡにてスマートフォンＰを全方位に様々な傾斜角度で支持することができる。
【００３７】
このとき、袋体２００Ａが頂部、角部、突起部等の突出部分（実施形態１ではハート形の頂部）を有する立体形状であっても、突出部分が埋没して受け面または底面（支持面）を形成することができるため、それ故に、袋体２００ＡにてスマートフォンＰを全方位に様々な傾斜角度で支持することができる。すなわち、本発明の支持具において、袋体の立体形状は限定されず、自由にデザインすることができ、特に、袋体２００Ａが伸縮可能な生地にて形成された袋を用いた場合はその効果が顕著となる。なお、その他の立体形状については、後述の実施形態６〜１１で説明する。
【００３８】
図６は実施形態１の支持具１００Ａを介してスマートフォンＰを左手で持った状態を示す説明図である。
支持具１００Ａを用いて卓上に立てかけたスマートフォンＰを左手Ｈで取り上げ、右手でタッチパネルを操作する場合、スマートフォンＰに吸着した支持具１００Ａは邪魔にならない。つまり、図６に示すように、左手Ｈの手のひらとスマートフォンＰの裏面Ｐｂとの間に袋体２００Ａがフィットするため、左手Ｈの５本の指でスマートフォンＰの外周部を持っても違和感がない。
【００３９】
しかも、この状態は、スマートフォンＰを左手Ｈで安定して持つことができるため、好都合である。さらに、スマートフォンＰのタッチパネル操作時の指圧が袋体２００Ａのクッション性によって適度に逃がされるため、過度な指圧からタッチパネルを保護することもできる。よって、支持具１００Ａを常にスマートフォンＰに吸着させた状態にしておいてもよく、これにより支持具１００Ａの紛失を防止することもできる。
【００４０】
（実施形態２）
図７は実施形態２の支持具の正面図である。なお、図７において、図１〜図６中の要素と同様の要素には同一の符号を付している。
実施形態２の支持具１００Ｂは、実施形態１と同様に、内部に粒子状の充填材が充填された袋体２００Ｂと、袋体２００Ｂに取り付けられた吸盤部材３とを備えているが、袋体２００Ｂを構成する袋が実施形態１とは異なる。
【００４１】
実施形態２の場合、袋体２００Ｂの袋は、吸盤部材３が取り付けられる一方の生地２００Ｂ1と、吸盤部材３が取り付けられない他方の生地２００Ｂ2とが縫い合わされてなる。なお、図７において、符号２００ａは縫い目を示している。
一方の生地２００Ｂ1は実施形態１と同じ伸縮性の生地であるが、他方の生地２００Ｂ2はクリーニングシートからなる。このクリーニングシートは、スマートフォンやタブレット型端末のタッチパネルに付着した指紋、手垢、油脂等を除去する市販のクリーニングシートを用いることができる。
【００４２】
実施形態２の支持具１００Ｂによれば、スマートフォンを卓上で支持するために用いられることに加えて、スマートフォンを卓上に立てかけないときに支持具１００Ｂのクリーニングシート材（生地２００Ｂ2）にてスマートフォンのタッチパネルをクリーニングすることができる。なお、実施形態１で説明した全体が伸縮性の生地からなる袋の一部分にクリーニングシートを縫合または接着してもよい。
【００４３】
（実施形態３）
図８は実施形態３の支持具の正面図である。なお、図８において、図１〜図６中の要素と同様の要素には同一の符号を付している。
実施形態３の支持具１００Ｃは、実施形態１で用いられた袋体２００Ａおよび吸盤部材３を備えているが、袋体２００Ａに滑り止め部材としての滑り止めシート材４００ａが設けられている点が実施形態１とは異なる。
【００４４】
滑り止めシート材４００ａは、滑り止め性に優れたエラストマー（各種のゴム）や発泡樹脂等からなり、例えば、シリコーンゴムシートや発泡塩化ビニール樹脂シートが用いられ、これらは市販されている。実施形態３では、ハート形の滑り止めシート材４００ａが、袋作製前の一方のハート形生地に接着または縫合されている場合を例示したが、滑り止めシート材４００ａの形状は特に限定されない。なお、袋作製前の他方のハート形生地には吸盤部材３が取り付けられる。
実施形態３の支持具１００Ｃによれば、スマートフォンを卓上で支持する際、滑り止めシート材４００ａによって袋体２００Ａの卓上での滑りが抑制されるため、スマートフォンを卓上でより安定的に支持することができる。
【００４５】
（実施形態４）
図９は実施形態４の支持具の正面図である。なお、図９において、図１〜図６中の要素と同様の要素には同一の符号を付している。
実施形態４の支持具１００Ｄは、実施形態３で用いられた滑り止めシート材４００ａ（図８参照）の代わりに、複数個の滑り止め半球部材４００ｂが用いられている。実施形態４において、その他は実施形態３と同様である。
【００４６】
滑り止め半球部材４００ｂの材質は、実施形態３で用いられた滑り止めシート材４００ａと同じ材質とすることができる。なお、滑り止め半球部材４００ｂとしては、直径２〜１０ｍｍ程度の市販品を用いることができる。
実施形態４の支持具１００Ｄも、実施形態３と同様に、滑り止め半球部材４００ｂによる袋体２００Ａの滑り止め効果を得ることができる。
【００４７】
（実施形態５）
図１０は実施形態５の支持具であって、（Ａ）は平面図であり、（Ｂ）は正面図であり、（Ｃ）は底面図である。なお、図１０（Ｂ）において、符号１２０ａは縫い目である。
【００４８】
実施形態５では、タブレット型端末用の支持具１１０を例示している。この支持具１１０は、膨張したハート形の袋内に充填材が封入されてなる変形可能な袋体１２０と、袋体１２０に設けられた密着部材としての滑り止めシート材１３０とを備える。
【００４９】
実施形態５において、袋体１２０を構成する袋の生地および充填材は、実施形態１と同じ材質のものを使用することができる。但し、実施形態５の場合、タブレット型端末の大きさにもよるが、袋体１２０は、１８０〜４２００ｃｍ3程度の体積を有するサイズが適当である。
【００５０】
滑り止めシート材１３０は、シリコーンゴム製シートをハート形にカットしたものであり、袋作製前の一方のハート形生地に接着剤にて接着されている。なお、滑り止めシート材１３０の形状は特に限定されず、ハート形以外にも、例えば、円形、三角形、四角形、五角形等の多角形、楕円形、瓢箪形、星形、動物や漫画キャラクターの輪郭などでもよい。また、滑り止めシート材１３０は複数個設けてもよい。
【００５１】
また、滑り止めシート材１３０は、タブレット型端末の裏面と密着して滑り止めすること以外に、絵、文字、記号、図形、ロゴ等を表示するラベルとしての役割が付加されてもよい。この場合、例えば、絵、文字、記号、図形、ロゴ等が印刷された樹脂シート（例えば、ポリエステル樹脂シート）の印刷面に透明の滑り止め材（例えば、透明シリコーン樹脂）をコーティングしてなる滑り止めシート材を用意し、この滑り止めシート材を袋作製前の一方の生地に熱圧着（融着）する。このような滑り止めシート材を支持具１１０に用いれば、支持具１１０を企業の販促グッズとして活用することもできる。なお、前述の実施形態３における滑り止めシート材４００ａ（図８参照）もこのように構成してもよい。
【００５２】
図１１は実施形態５の支持具１１０を用いてタブレット型端末ＪをリビングのテーブルＴ上に立てかけた状態を示す説明図である。なお、図１１では、タブレット型端末Ｊを縦置きする場合を説明するが、横置きする場合も同様である。
リビングのソファーＳで腰掛けながらタブレット型端末Ｊにて動画を視聴する場合、リビングの低いテーブルＴ上にタブレット型端末Ｊを立てかけることになる。この際、実施形態５の支持具１１０をテーブルＴ上に置き、タブレット型端末Ｊを支持具１１０に凭れかけさせることにより、支持具１１０によりタブレット型端末Ｊが所定の傾斜角度αで傾いた状態で支持される。このとき、滑り止めシート材１３０がタブレット型端末Ｊの裏面Ｊｂと密着するため、タブレット型端末Ｊは滑り止めシート材１３０に対して位置ずれしない。
【００５３】
また、図１１において、二点鎖線で示すように、タブレット型端末Ｊを袋体１２０に押し付けることにより、傾斜角度αを小さく調整することも容易に行える。さらに、図１１の実線で示すタブレット型端末Ｊの傾斜角度αよりも大きく調整することも可能である。すなわち、タブレット端末Ｊを袋体１２０の上に置き直すだけで傾斜角度αを無段階で調整することができる。
このように、実施形態５の支持具１１０によれば、タブレット型端末Ｊの画面（表て面Ｊａ）の位置よりも視聴者（ユーザー）Ｕの目の位置が大幅に高くなっても、画面を正面から視ることができる。
【００５４】
膨張したハート形の袋体１２０は、その外周部の１箇所に頂部（突出部）を有しているが、図１１のように支持具１１０にてタブレット型端末Ｊを支持する際、頂部は埋没して底面（支持面）となることができる。
したがって、この支持具１１０において、袋体１２０が突出部を有する立体形状であっても、タブレット型端末Ｊの傾斜角度を自由かつ容易に無段階で調整することができ、しかも図５に示すように支持具１１０の周囲の全周に亘って自由に傾斜させることができる。
【００５５】
実施形態１〜５では、膨張したハート形の袋体を有するスマートフォン用支持具およびタブレット型端末用支持具を例示したが、本発明において袋体の立体形状はハート形に限定されない。以下、その他の立体形状の袋体を有する支持具について説明する。なお、支持具を構成する材料は実施形態１〜５で用いた材料と同じである。
【００５６】
（実施形態６）
図１２は実施形態６の支持具を示す図であって、（Ａ）はスマートフォン用であり、（Ｂ）はタブレット型端末用である。
スマートフォン用の支持具４０は、星形の袋体４１の表面に吸盤部材３が取り付けられてなる。
タブレット型端末用の支持具１４０は、星形の袋体１４１の表面に滑り止めシート材１４２が接着されてなる。
【００５７】
（実施形態７）
図１３は実施形態７の支持具を示す図であって、（Ａ）はスマートフォン用であり、（Ｂ）はタブレット型端末用である。
スマートフォン用の支持具５０は、正方形の袋に粒子状の充填材が封入されてなるスクエア形の袋体５１の表面に、吸盤部材３が取り付けられてなる。
タブレット型端末用の支持具１５０は、スクエア形の袋体１５１の表面に滑り止めシート材１５２が接着されてなる。
【００５８】
（実施形態８）
図１４は実施形態８の支持具を示す図であって、（Ａ）はスマートフォン用であり、（Ｂ）はタブレット型端末用である。
スマートフォン用の支持具６０は、動物（例えば、猫）の顔の輪郭形の袋体６１の表面に吸盤部材３が取り付けられてなる。
タブレット型端末用の支持具１６０は、動物（例えば、猫）の顔の輪郭形の袋体１６１の表面に滑り止めシート材１６２が接着されてなる。
【００５９】
（実施形態９）
図１５は実施形態９の支持具を示す図であって、（Ａ）はスマートフォン用であり、（Ｂ）はタブレット型端末用である。
スマートフォン用の支持具７０は、立方体形の袋体７１の一面に吸盤部材３が取り付けられてなる。
タブレット型端末用の支持具１７０は、立方体形の袋体１７１の一面に滑り止めシート材１７２が接着されてなる。
【００６０】
（実施形態１０）
図１６は実施形態１０の支持具を示す図であって、（Ａ）はスマートフォン用であり、（Ｂ）はタブレット型端末用である。
スマートフォン用の支持具８０は、円柱形の袋体８１の一端面に吸盤部材３が取り付けられてなる。
タブレット型端末用の支持具１８０は、立方体形の袋体１８１の一端面に滑り止めシート材１８２が接着されてなる。
【００６１】
（実施形態１１）
図１７は実施形態１１の支持具を示す図であって、（Ａ）はスマートフォン用であり、（Ｂ）はタブレット型端末用である。
スマートフォン用の支持具９０は、円錐形の袋体９１の底部に吸盤部材３が取り付けられてなる。
タブレット型端末用の支持具１９０は、円錐形の袋体１９１の底部に滑り止めシート材１９２が接着されてなる。
【００６２】
（実施形態１２）
図１８は実施形態１２の支持具を示す図であって、（Ａ）は平面図であり、（Ｂ）は正面図であり、（Ｃ）は底面図である。また、図１９は実施形態１２の支持具を示す図であって、（Ａ）は袋体を四方へ引っ張って拡張した状態を示し、（Ｂ）はタブレット端末を卓上で垂直に支持した状態を示す。なお、図１８および１９において、図１３（Ｂ）中の要素と同様の要素には同一の符号を付している。
【００６３】
実施形態１２の支持具１５０Ｂは、実施形態７のタブレット型端末用の支持具１５０（図１３（Ｂ）参照）の４つのコーナー部に輪部１５３を設けることにより形成されている。この場合、袋体１５１の袋を伸縮性を有する生地にて構成するか、あるいは輪部１５３を伸縮性を有する紐にて構成するか、あるいはこれらの両方を実施することが好ましい。
【００６４】
実施形態１２の支持具１５０Ｂによれば、袋体１５１の４つの輪部１５３を四方へ引っ張ってタブレット型端末Ｊの４つのコーナー部に引っ掛けることにより、支持具１５０Ｂによってタブレット型端末Ｊを裏面側から保持した状態となるため、支持具１５０Ｂにてタブレット型端末ＪをテーブルＴ上で垂直状態に支持することが可能となる。なお、図１９（Ａ）において、二点鎖線は４つの輪部１５３を引っ張る前の袋体１５１の輪郭を示している。
【００６５】
この支持具１５０Ｂを用いることにより、例えば、ユーザーがソファーに寝そべった状態でタブレット型端末の動画を観る場合は、タブレット型端末の垂直な画面に視線を向けることができるため、適切な画像を観ることができる。
実施形態１２の支持具１５０Ｂは、４つの輪部１５３を四方へ引っ張ることにより袋体１５１をある程度拡張できるため、ある程度異なるサイズのタブレット型端末Ｊに対応することができる。なお、この支持具１５０Ｂは、各輪部１５３をタブレット型端末Ｊの各コーナー部に引っ掛けずに使用してもよい。
【００６６】
（他の実施形態）
１．タブレット型端末用の支持具も、実施形態２および３（図７および８）と同様に、袋体における滑り止めシート材（密着部材）の位置と反対側の位置に、クリーニングシートまたは滑り止めシート材を設けてもよい。
２．袋体の平面視形状は、前記実施形態に限定されるものではなく、その他には、楕円形、栗形、ラグビーボール形等の円形に近い形でもよい。さらには、袋体の縫い目部分にひだを付けて動物や漫画キャラクターの顔の輪郭を形成してもよい。
３．実施形態１２で説明した輪部は、スクエア形の袋体に限らず、その他の各種立体形状の袋体に設けてもよい。
【符号の説明】
【００６７】
３  吸盤部材（密着部材）
４０、５０、６０、７０、８０、９０、１００Ａ、１００Ｂ、１００Ｃ、１００Ｄ、１１０、１４０、１５０、１５０Ｂ、１６０、１７０、１８０、１９０  支持具
４１、５１、６１、７１、８１、９１、１４１、１５１、１６１、１７１、１８１、１９１、２００Ａ、２００Ｂ、１２０  袋体
１３０、１４２、１５２、１６２、１７２、１８２、１９２、４００ａ  滑り止めシート材（密着部材）
１５３  輪部
Ｊ  タブレット型端末
Ｊａ、Ｐａ  裏面
Ｐ  スマートフォン
Ｔ  テーブル
【要約】
【課題】傾斜角度を自由かつ容易に調整することができる携帯情報端末用支持具を提供すること。
【解決手段】袋内に粒子状の充填材が封入されてなる変形可能な袋体と、携帯情報端末と密着可能に前記袋体に設けられた密着部材とを備え、
携帯情報端末を前記密着部材に直に密着させた状態の前記袋体にて携帯情報端末を様々な傾斜角度で支持可能に構成されたことを特徴とする携帯情報端末用支持具。
【選択図】図３【図１】
0005451922.tif 000002
【図２】
0005451922.tif 000003
【図３】
0005451922.tif 000004
【図４】
0005451922.tif 000005
【図５】
0005451922.tif 000006
【図６】
0005451922.tif 000007
【図７】
0005451922.tif 000008
【図８】
0005451922.tif 000009
【図９】
0005451922.tif 000010
【図１０】
0005451922.tif 000011
【図１１】
0005451922.tif 000012
【図１２】
0005451922.tif 000013
【図１３】
0005451922.tif 000014
【図１４】
0005451922.tif 000015
【図１５】
0005451922.tif 000016
【図１６】
0005451922.tif 000017
【図１７】
0005451922.tif 000018
【図１８】
0005451922.tif 000019
【図１９】
0005451922.tif 000020